(57)【特許請求の範囲】
【請求項１】
通話機能を有する複数の個別端末装置に通話回線を介して接続された通話手段と、
前記個別端末装置の識別情報及び登録の有無を表示する画面表示手段と、
前記画面表示手段に表示される前記識別情報の中から所望の識別情報を選択する選択操作手段と、
前記複数の個別端末装置別に設置され対応する個別端末装置と前記通話手段との接続を指定する複数の選局操作手段を有する選局装置と、
前記選択操作手段によって前記所望の識別情報が選択されているときに前記選局装置で選択された前記選局操作手段の位置情報を前記所望の識別情報と共に登録するメモリ手段とを備え、
前記選局操作手段の操作によって前記メモリ手段から対応する個別端末装置の識別情報を読み出し、この識別情報によって特定される個別端末装置と前記通話手段とを通話回線を介して接続することを特徴とする内線通話システムの管理端末装置。
【請求項２】
通話機能を有する複数の個別端末装置に通話回線を介して接続された通話手段と、
前記個別端末装置の識別情報及び登録の有無を表示する画面表示手段と、
前記画面表示手段に表示される前記識別情報の中から所望の識別情報を選択する選択操作手段と、
前記複数の個別端末装置別に設置され対応する個別端末装置と前記通話手段との接続を指定する複数の選局操作手段および前記複数の選局操作手段に対応して配置された複数の選局表示手段を有する選局装置と、
前記選択操作手段によって前記所望の識別情報が選択されているときに前記選局装置で選択された前記選局操作手段の位置情報を前記所望の識別情報と共に登録するメモリ手段とを備え、
前記個別端末装置から呼出信号を受信すると前記メモリ手段からその個別端末装置の識別情報に対応する選局操作手段の位置情報を読み出し、この位置情報によって指定される選局操作手段に対応する選局表示手段を点滅または点灯駆動することを特徴とする内線通話システムの管理端末装置。
【請求項３】
メモリ手段は、既に登録されている個別端末装置が選択操作手段によって選択され、既に登録されている選局操作手段と異なる選局操作手段が選択されると、新たに選択された選局操作手段の位置情報と前記選択操作手段で選択されている個別端末装置の識別情報とを再登録することを特徴とする請求項１または２記載の内線通話システムの管理端末装置。
【発明の詳細な説明】
【０００１】
【発明の属する技術分野】
本発明は、複数の個別端末装置と通話回線を介して通話を行うことができる内線通話システムの管理端末装置に関し、とくに個別端末装置との回線接続を簡易に行うために設置された選局装置の各選局ボタンに所望の個別端末装置を簡易に登録することができる管理端末装置に関するものである。
【０００２】
【従来の技術】
多くの患者を看護する病院や複数の住戸を有する集合住宅においては、各ベッドまたは各住戸に設置した個別端末装置（子機）と回線接続を簡易に行うため、中央の看護婦待機室（ナースステーション）または管理室にボード形または卓上形の選局装置を備えた管理端末装置（親機）が設置されている。
【０００３】
選局装置は各子機別に表示器および選局ボタンを備えており、ある子機から呼び出しがあると、その子機に対応する表示器が点滅表示され、看護婦または管理人がどの子機からの呼び出しかを即座に認識できるようになっている。また、看護婦または管理人が通話を希望する子機の選局ボタンを押すと、その子機との回線がワンタッチで接続され、通話装置による通話が可能となっている。
【０００４】
【発明が解決しようとする課題】
前述した選局装置は複数の表示器および選局ボタンを備えているので、通話システムの設置時に、これら表示器および選局ボタンと各子機との対応関係を設定するための登録作業が必要となる。
【０００５】
従来は、通話システムを設置する際に、設置作業者が登録作業用の専用機（例えばパソコン）を親機に接続し、この専用機を操作することによって各表示器および選局ボタンに所望の子機を割り当てる登録作業を行っていた。登録作業が終了すると、設置作業者は親機から専用機を取り外し持ち帰っていた。
【０００６】
このように、従来は通話システムの設置現場において、専用機を持ち込んで登録作業をしなければならないという煩わしさがあり、また、メーカー側においても設置作業者に対し事前に専用機の操作を指導教育しなければならないという不都合があった。
【０００７】
また、通話システムの設置時に各表示器および選局ボタンと各子機との対応関係が固定されてしまうため、ユーザー側で割り当てを変更したい場合は、再度、設置業者に依頼しなければならないという不都合があった。
【０００８】
本発明は、このような従来の課題を解決するためになされたもので、複数の表示器および選局ボタンと複数の子機との対応関係を容易に設定または変更することができる内線通話システムの管理端末装置を提供することを目的とする。
【０００９】
【課題を解決するための手段】
本発明の内線通話システムの管理端末装置においては、通話機能を有する複数の個別端末装置に通話回線を介して接続された通話手段と、個別端末装置の識別情報及び登録の有無を表示する画面表示手段と、画面表示手段に表示される識別情報の中から所望の識別情報を選択する選択操作手段と、複数の個別端末装置別に設置され対応する個別端末装置と通話手段との接続を指定する複数の選局操作手段を有する選局装置と、選択操作手段によって所望の識別情報が選択されているときに選局装置で選択された選局操作手段の位置情報を所望の識別情報と共に登録するメモリ手段とを備え、選局操作手段の操作によってメモリ手段から対応する個別端末装置の識別情報を読み出し、この識別情報によって特定される個別端末装置と通話手段とを通話回線を介して接続するものである。
【００１０】
本発明によれば、複数の選局操作手段と複数の個別端末装置との対応関係を容易に設定することができる内線通話システムの管理端末装置が得られる。
【００１１】
【発明の実施の形態】
本発明の請求項１に記載の発明は、通話機能を有する複数の個別端末装置に通話回線を介して接続された通話手段と、個別端末装置の識別情報及び登録の有無を表示する画面表示手段と、画面表示手段に表示される識別情報の中から所望の識別情報を選択する選択操作手段と、複数の個別端末装置別に設置され対応する個別端末装置と通話手段との接続を指定する複数の選局操作手段を有する選局装置と、選択操作手段によって所望の識別情報が選択されているときに選局装置で選択された選局操作手段の位置情報を所望の識別情報と共に登録するメモリ手段とを備え、選局操作手段の操作によってメモリ手段から対応する個別端末装置の識別情報を読み出し、この識別情報によって特定される個別端末装置と通話手段とを通話回線を介して接続するものである。
【００１２】
本発明によれば、画面表示手段に表示される複数の個別端末装置の中から所望の個別端末装置を選択操作手段で選択し、同時に選局装置で所望の選局操作手段を操作することによって、選択した個別端末装置の識別情報と操作した選局操作手段の位置情報とをメモリ手段に一対一で登録し、各個別端末装置を各選局操作手段に割り当てることができるという作用を有する。
【００１３】
請求項２に記載の発明は、通話機能を有する複数の個別端末装置に通話回線を介して接続された通話手段と、個別端末装置の識別情報及び登録の有無を表示する画面表示手段と、画面表示手段に表示される識別情報の中から所望の識別情報を選択する選択操作手段と、複数の個別端末装置別に設置され対応する個別端末装置と通話手段との接続を指定する複数の選局操作手段および複数の選局操作手段に対応して配置された複数の選局表示手段を有する選局装置と、選択操作手段によって所望の識別情報が選択されているときに選局装置で選択された選局操作手段の位置情報を所望の識別情報と共に登録するメモリ手段とを備え、個別端末装置から呼出信号を受信するとメモリ手段からその個別端末装置の識別情報に対応する選局操作手段の位置情報を読み出し、この位置情報によって指定される選局操作手段に対応する選局表示手段を点滅または点灯駆動するものである。
【００１４】
本発明によれば、画面表示手段に表示される複数の個別端末装置の中から所望の個別端末装置を選択操作手段で選択し、同時に選局装置で所望の選局操作手段を操作することによって、選択した個別端末装置の識別情報と操作した選局操作手段の位置情報とをメモリ手段に一対一で登録し、各個別端末装置を各選局操作手段および各選局表示手段に割り当てることができるという作用を有する。
【００１５】
請求項３に記載の発明は、請求項１または２記載の発明において、メモリ手段は、既に登録されている個別端末装置が選択操作手段によって選択され、既に登録されている選局操作手段と異なる選局操作手段が選択されると、新たに選択された選局操作手段の位置情報と前記選択操作手段で選択されている個別端末装置の識別情報とを再登録するものである。
【００１６】
本発明によれば、画面表示手段に表示される複数の個別端末装置の中から既に登録されている所望の個別端末装置を選択操作手段で選択し、同時に選局装置で所望の選局操作手段を操作することによって、選択した個別端末装置の識別情報と操作した選局操作手段の位置情報とをメモリ手段に一対一で再登録し、各個別端末装置を各選局操作手段に割り当て変更できるという作用を有する。
【００１７】
以下、本発明の一実施の形態について、図１〜図８を用いて説明する。
【００１８】
図１は、本発明を病院内のナースコールシステムに適用した場合の一例を示すシステム構成図で、ナースステーション１に設置されている管理端末装置（親機）１Ａ，１Ｂと、複数の病室２にそれぞれ設置されている病室アダプタ２１とが制御装置３および信号ラインＬ１，Ｌ２を介して接続された構成を示している。なお、本発明は他の通話システム、例えば集合住宅の各住戸と管理室とを結ぶ通話システムに適用できることは勿論である。
【００１９】
同図において、親機１Ａは通話装置１１と卓上形選局装置１２とからなり、親機１Ｂは通話装置１３とボード形選局装置１４とからなる。各病室アダプタ２１は信号ラインＬ２を介して制御装置３に並列に接続され、増設および変更が容易な構成となっている。
【００２０】
病室アダプタ２１は病室２内の各ベッドに設置された個別端末装置（子機）２２を収容し、最大６台の子機２２が収容できるように構成されている。子機２２は看護婦を呼び出すための呼出ボタンと、看護婦と通話を行うためのマイクロフォンおよびスピーカを備えた通話装置である。
【００２１】
また、病室アダプタ２１は病室２の入口に設置され、病室内の患者の氏名を点灯表示する名札部と、信号ラインＬ２に対してディジタル信号の送受信を行う通信部と、子機２２からのアナログ音声信号をディジタル音声信号に変換して信号ラインＬ２に出力すると共に、制御装置３から信号ラインＬ２を介して送られて来る親機１Ａ，１Ｂのディジタル音声信号をアナログ音声信号に変換して子機２２に出力するディジタル／アナログ変換部とを備えている。なお、通信部１１Ａ，１３Ａには通話装置も含まれている。
【００２２】
図２は、図１に示すナースコールシステムの一部を示すブロック図である。同図において、制御装置３、通話装置１１、卓上形選局装置１２、通話装置１３、ボード形選局装置１４のそれぞれは、信号の送受信を行う通信部３Ａ，１１Ａ，１２Ａ，１３Ａ，１４Ａと、マイクロコンピュータ構成の制御部３Ｂ，１１Ｂ，１２Ｂ，１３Ｂ，１４Ｂと、各種データを記憶するメモリ部３Ｃ，１１Ｃ，１２Ｃ，１３Ｃ，１４Ｃとを備えている。
【００２３】
また、通話装置１１，１３は後述するダイヤルボタンや機能ボタンなどの操作部１１Ｄ，１３Ｄと、例えばＬＣＤ（液晶表示素子）構成の画面を有する表示部１１Ｅ，１３Ｅとを有する。また、卓上形選局装置１２およびボード形選局装置１４は特定の子機２２との回線を接続する後述する複数の選局ボタンを有する操作部１２Ｄ，１４Ｄと、子機２２からの呼び出しを表示する表示部１２Ｅ，１４Ｅとを有する。
【００２４】
図３は、親機１Ａの正面図で、通話装置１１と卓上形選局装置１２とが隣接して配置された構成を示している。通話装置１１は送受話器１１ａ、ダイヤルボタン１１ｂ、メニューボタンおよびクリアボタンなどを含む機能ボタン１１ｃ、ＬＣＤ画面を有する画面表示器１１ｄおよびスピーカ１１ｅを備える。
【００２５】
画面表示器１１ｄの両側にはそれぞれ５つの選択ボタン１１ｆ，１１ｇが配置されている。ボタン１１ｂ，１１ｃ，１１ｆ，１１ｇが操作部１１Ｄに相当し、画面表示器１１ｄが表示部１１Ｅに相当する。また、選択ボタン１１ｆは選択操作手段に相当する。なお、選択ボタン１１ｆに代えて画面表示器１１ｄの表面にタッチパネルを設けてもよい。
【００２６】
卓上形選局装置１２は複数（この例では１８名分）の名札部１２ａを有し、入院している患者の氏名を表記した名札が取り付けられている。また、名札部１２ａに隣接して、その患者の子機２２からの呼び出し時に点滅し回線接続時に点灯する選局表示器１２ｂと、ワンタッチでその患者の子機２２に回線接続する選局ボタン１２ｃとが配置されている。選局表示器１２ｂ上には病室番号が表記されている。選局ボタン１２ｃが操作部１２Ｄに相当し、選局表示器１２ｂが表示部１２Ｅに相当する。また、選局ボタン１２ｃは選局操作手段に相当する。
【００２７】
図４は、親機１Ｂの正面図で、通話装置１３とボード形選局装置１４とが隣接して配置された構成を示している。通話装置１３は親機１Ａの通話装置１１と同一の構成であるので詳細説明は省略する。
【００２８】
ボード形選局装置１４は複数（この例では６０名分）の名札部１４ａを有し、入院している患者の氏名を表記した名札が取り付けられている。また、名札部１４ａに隣接して、その患者の子機２２からの呼び出し時に点滅し回線接続時に点灯する表示器１４ｂと、ワンタッチでその患者の子機２２に回線接続する選局ボタン１４ｃとが配置されている。各患者の病室番号は病室番号表示部１４ｄに表記される。選局ボタン１４ｃが操作部１４Ｄに相当し、選局表示器１４ｂが表示部１４Ｅに相当する。また、選局ボタン１４ｃは選局操作手段に相当する。
【００２９】
次に、図５〜図７に示す画面表示器１１ｄの画面図を参照しながら、親機１Ａの卓上形選局装置１２の各選局表示器１２ｂおよび選局ボタン１２ｃに、各子機２２を割り当てる処理について説明する。なお、親機１Ｂのボード形選局装置１４への割り当て処理も同様であるので、詳細説明は省略する。
【００３０】
まず、図５に示す画面図を参照して、親機１Ａの親機番号の設定および変更処理について説明する。
【００３１】
機能ボタン１１ｃのメニューボタンを押すと、画面表示器１１ｄは図示せぬ平時画面から図５（ａ）に示す「セッテイメニュー」（設定メニュー）画面に切り替わる。ここで、画面の最上段に表示されている「オヤキバンゴウ」（親機番号）を選択ボタン１１ｆの最上段のボタンを押すことで選択すると、同図（ｂ）に示すような親機番号の入力を促す画面に切り替わる。
【００３２】
この状態でダイヤルボタン１１ｂの数字ボタン「１」を押すと、画面の最上段右端部に数字「１」が表示される。誤った場合は機能ボタン１１ｃのクリアボタンを押すと消去され、再度入力することができる。
【００３３】
この状態で機能ボタン１１ｃの登録ボタンを押すと、親機１Ａは親機番号として「１」が設定され親機１Ｂと区別される。この親機番号は親機１Ａの通話装置１１のメモリ部１１Ｃおよび制御装置３のメモリ部３Ｃに記憶される。
【００３４】
また、表示器１１ｄの画面は同図（ｃ）に示すような親機番号設定画面に切り替わる。この画面には設定年月日、時刻、設定した親機番号が「１」であることが表示される。この状態でメニューボタンを再度押すと、同図（ａ）の設定メニュー画面に戻る。平時画面に戻る場合はさらにメニューボタンを押す。
【００３５】
次に、図５（ａ）に示す設定メニューの２段目に表示されている「ヒョウジイチセッテイ」（表示位置設定）を選択ボタン１１ｆで選択すると、図６（ａ）に示すように親機１Ａが管理している子機２２の一覧表が表示される。
【００３６】
なお、各親機１Ａ，１Ｂが管理している子機２２は、予め制御装置３のメモリ部３Ｃに登録されている。従って、このモードが選択されると、通話装置１１の制御部１１Ｂはメモリ部３Ｃをアクセスし、自己が管理する子機２２のデータを読み出して表示器１１ｄにその一覧表を表示する。
【００３７】
また、通話装置１１のメモリ部１１Ｃには、既に登録されている選局ボタン１２ｃの位置データと子機２２の識別データとが一対一の対応関係で記憶されているので、メモリ部１１Ｃから登録されている子機２２の識別データを読み出し、登録の有無または選局ボタン１２ｃの位置データを表示する。
【００３８】
図６（ａ）に示す画面において、番号１０１−１〜４は、例えば病室１０１号室の第１〜第４ベッドの各子機２２を意味している。また、番号１０２−１は病室１０２号室の第１ベッドの子機２２を意味している。各番号の横に表示されている星印「＊」は、既に選局装置１２の選局ボタン１２ｃに登録されていることを意味している。従って、この画面では番号１０１−１，１０１−２は既に登録されていることを表している。
【００３９】
この状態で、例えば番号１０１−３の子機２２を選局装置１２の所望の選局ボタン１２ｃに登録する場合は、選択ボタン１１ｆの対応するボタン（上から３番目のボタン）を押下する。その結果、図６（ｂ）に示すように、選択した番号１０１−３が画面の最上段に表示され、位置設定を促す表示「イチセッテイ」（位置設定）が表れる。
【００４０】
この状態で、選局装置１２の所望の選局ボタン１２ｃを押下すると、その選局ボタン１２ｃに番号１０１−３の子機２２が登録される。すなわち、押下した選局ボタン１２ｃを示す例えば位置データと番号１０１−３の子機２２を示す識別データとが通話装置１１のメモリ部１１Ｃに一対一で登録される。このとき、既に登録されている選局ボタン１２ｃの選局表示器１２ｂは点滅するので、２重登録を防止することができる。
【００４１】
表示器１１ｄの画面は、再び図６（ａ）に示す表示位置設定画面に戻り、今度は番号１０１−３の横にも星印「＊」が表示される。設定登録を続ける場合は、前述と同一の操作を繰り返す。
【００４２】
次頁の画面に移る場合は右側の選択ボタン１１ｇの一番下のボタンを押し、前頁の画面に移る場合は選択ボタン１１ｇの一番上のボタンを押す。登録を終了するときはメニューボタンを再度押すと、図５（ａ）に示す設定メニュー画面に戻る。
【００４３】
変更登録する場合は、図６（ａ）に示す表示位置設定画面において、変更を希望する星印「＊」の付された、例えば番号１０１−２を選択ボタン１１ｆで選択する。その結果、選択した番号が画面の最上段に表示され、位置設定を促す図６（ｂ）の画面が表れる。このとき、番号１０１−２が登録されている選局ボタン１２ｃの表示器１２ｂは点滅状態から点灯状態になる。
【００４４】
この状態で、他の所望の選局ボタン１２ｃを押下すると、その選局ボタン１２ｃに番号１０１−２の子機２２が登録される。すなわち、押下した選局ボタン１２ｃを示す位置データと番号１０１−２の子機２２を示す識別データとが通話装置１１のメモリ部１１Ｃに一対一で登録され、先に登録されていた選局ボタン１２ｃと番号１０１−２との一対一の登録は消去される。これにより先に登録されていた選局ボタン１２ｃの表示器１２ｂが消灯し、新たに登録した選局ボタン１２ｃの表示器１２ｂが点滅する。
【００４５】
削除登録する場合は、図６（ａ）に示す表示位置設定画面において、削除を希望する星印「＊」の付されている番号を選択ボタン１１ｆで選択する。すると、選択した番号が画面の最上段に表示され、位置設定を促す図６（ｂ）の画面が表れる。このとき、登録されている選局ボタン１２ｃの表示器１２ｂは点滅状態から点灯状態になる。
【００４６】
この状態で、点灯している選局ボタン１２ｃを押下すると、メモリ部１１Ｃに記憶されているその選局ボタン１２ｃに対応する子機２２の識別データが抹消される。これにより登録されていた選局ボタン１２ｃの表示器１２ｂが消灯し、表示部１１ｄの画面に表示されていた対応する番号の横の星印「＊」が消える。
【００４７】
設定登録した内容を全て消去する場合は、図５（ａ）に示す設定メニュー画面において、「オヤキバンゴウ」（親機番号）を選択ボタン１１ｆで選択すると、同図（ｂ）に示す画面が表れる。
【００４８】
この状態で機能ボタン１１ｃのクリアボタンを一定時間以上押すと、図７に示すように、表示器１１ｄに「メモリオールクリア？」の表示が表れる。消去する場合は機能ボタン１１ｃの登録ボタンを押す。その結果、メモリ部１１Ｃに記憶されている全ての選局ボタン１２ｃに対応する子機２２の識別データが抹消される。消去しない場合は機能ボタン１１ｃのメニューボタンを押すと、図６（ａ）の表示位置設定画面に戻る。
【００４９】
図８は、通話装置１１のメモリ部１１Ｃに登録されている選局ボタン１２ｃの位置データと各病室２の子機２２の識別データとの対応関係の一例を示すメモリ構成図である。選局ボタン１２ｃはＡ列（図３の左列）９個のボタンとＢ列（図３の右列）９個のボタンとからなり、Ａ１〜Ａ４の選局ボタン１２ｃには病室１０１号室の第１〜第４ベッドの子機２２が登録され、Ａ５〜Ａ８の選局ボタン１２ｃには病室１０２号室の第１〜第４ベッドの子機２２が登録され、Ａ９の選局ボタン１２ｃには病室１０３号室の第１ベッドの子機２２が登録されている。
【００５０】
また、Ｂ１〜Ｂ３の選局ボタン１２ｃには病室１０３号室の第２〜第４ベッドの子機２２が登録され、Ｂ４〜Ｂ５の選局ボタン１２ｃには病室１０４号室の第１〜第２ベッドの子機２２が登録され、Ｂ６〜Ｂ７の選局ボタン１２ｃには病室１０５号室の第１〜第２ベッドの子機２２が登録され、Ｂ７〜Ｂ８の選局ボタン１２ｃには病室１０６号室の第１〜第２ベッドの子機２２が登録されている。
【００５１】
この構成において、例えば病室１０２号室の第１ベッドの患者が自己の子機２２の呼出ボタンを押すと、病室１０２号室の病室アダプタ２１は信号ラインＬ２を介して制御装置３に病室１０２号室の第１ベッドから呼び出しがある旨の呼出コマンドを送出する。
【００５２】
制御装置３はこの呼出コマンドを受信すると、親機１Ａ，１Ｂのどちらが管理する子機からのコマンドかをメモリ部３Ｃに予め登録されているデータから判断し、親機１Ａが管理する子機からのコマンドであれば、親機１Ａの通話装置１１に送出する。
【００５３】
通話装置１１は、このコマンドを受信すると、メモリ部１１Ｃを参照し、病室１０２号室の第１ベッド、すなわち番号１０２−１の子機がどの選局ボタン１２ｃに登録されているかを判断する。
【００５４】
図８に示す例では、Ａ５（Ａ列５番目）の選局ボタン１２ｃに登録されているので、制御部１１Ｂはその選局ボタン１２ｃに対応する表示器１２ｂを点滅させるように通信部１１Ａから選局装置１２にコマンドを送出する。選局装置１２は、このコマンドを受信すると、表示部１２ＥのＡ列５番目の表示器１２ｂを点滅駆動する。
【００５５】
ナースステーションに待機している看護婦が点滅を認識してＡ列５番目の選局ボタン１２ｃを押下すると、制御部１２Ｂはそれを検出して対応する表示器１２ｂを点灯駆動に切り替える。
【００５６】
また、制御部１２ＢはＡ列５番目の選局ボタン１２ｃが押下されたことを示すコマンドを通信部１２Ａから通話装置１１に送出する。通話装置１１は、このコマンドを受信すると、メモリ部１１Ｃを参照し、Ａ列５番目の選局ボタン１２ｃがどの病室の子機かを判断する。
【００５７】
この例では番号１０２−１の子機であるので、通話装置１１の制御装置１１Ｂは制御装置３に通話装置１１の送受話器１１ａと病室１０２号室の第１ベッドの子機２２との回線を接続するようにコマンドを発する。
【００５８】
制御装置３は、このコマンドを受信すると、通話装置１１からの音声信号を病室１０２号室の第１ベッドの子機２２に送信し、同子機２２からの音声信号を通話装置１１に送信するように通信部３Ａを制御する。通話が終了すると、切断コマンドが通話装置１１から選局装置１２に送られ、点灯していたＡ列５番目の表示器１２ｂが消灯する。
【００５９】
【発明の効果】
以上のように本発明によれば、画面表示器に表示される複数の子機（個別端末装置）の中から所望の子機を選択ボタンで選択し、同時に選局装置で所望の選局ボタンを操作し、選択した子機の識別情報と操作した選局ボタンの位置情報とをメモリ部に一対一で登録し、各子機を各選局ボタンに簡易に割り当てることができるという有利な効果が得られる。
【００６０】
本発明によれば、画面表示器に表示される複数の子機の中から所望の子機を選択ボタンで選択し、同時に選局装置で所望の選局ボタンを操作し、選択した子機の識別情報と操作した選局ボタンの位置情報とをメモリ部に一対一で登録し、各子機を各選局ボタンおよび各選局表示器に簡易に割り当てることができるという有利な効果が得られる。
【００６１】
本発明によれば、画面表示器に表示される複数の子機の中から既に登録されている所望の子機を選択操作手段で選択し、同時に選局装置で所望の選局ボタンを操作し、選択した子機の識別情報と操作した選局ボタンの位置情報とをメモリ部に一対一で再登録し、各子機を各選局ボタンに簡易に割り当て変更できるという有利な効果が得られる。
【図面の簡単な説明】
【図１】本発明をナースコールシステムに適用した場合の一例を示すシステム構成図
【図２】図１に示すナースコールシステムの一部を示すブロック図
【図３】図１に示す親機１Ａの正面図
【図４】図１に示す親機１Ｂの正面図
【図５】親機の親機番号の設定方法を説明する画面図
【図６】選局ボタンに子機を登録する方法を説明する画面図
【図７】選局ボタンに登録した子機を全て消去する方法を説明する画面図
【図８】選局ボタンに登録されている子機を示すメモリ構成図
【符号の説明】
１  ナースステーション
１Ａ，１Ｂ  管理端末装置（親機）
２  病室
３  制御装置
１１，１３  通話装置
１２  卓上形選局装置
１４  ボード形選局装置
１１Ａ，１２Ａ，１３Ａ，１４Ａ  通信部
１１Ｂ，１２Ｂ，１３Ｂ，１４Ｂ  制御部
１１Ｃ，１２Ｃ，１３Ｃ，１４Ｃ  メモリ部
１１Ｄ，１２Ｄ，１３Ｄ，１４Ｄ  操作部
１１Ｅ，１２Ｅ，１３Ｅ，１４Ｅ  表示部
１１ａ  送受話器
１１ｂ  ダイヤルボタン
１１ｃ  機能ボタン
１１ｄ  画面表示器（画面表示手段）
１１ｅ  スピーカ
１１ｆ  選択ボタン（選択操作手段）
１２ａ，１４ａ  名札部
１２ｂ，１４ｂ  選局表示器（選局表示手段）
１２ｃ，１４ｃ  選局ボタン（選局操作手段）
１４ｄ  病室番号表示部
２１  病室アダプタ
２２  個別端末装置（子機）
Ｌ１，Ｌ２  信号ライン
【図１】
0003883295.tif 000002
【図２】
0003883295.tif 000003
【図３】
0003883295.tif 000004
【図４】
0003883295.tif 000005
【図５】
0003883295.tif 000006
【図６】
0003883295.tif 000007
【図７】
0003883295.tif 000008
【図８】
0003883295.tif 000009